(57)【要約】　　　（修正有）【課題】前掛けフレームが安定して取付けられると共に、取付け構造が簡単な前掛け式メガネフレームの提供。【解決手段】前掛けフレーム１の連結部材１１をナイロンやポリカーボネート等の弾力性に優れた樹脂製コ型断面形状とし、上片１４と下片１５とでフロントフレーム２の連結部材５に弾性力を付勢して挟み込んで該前掛けフレームを取付けることが出来る。【選択図】　　　　図１
0003099209.tif 000002
【実用新案登録請求の範囲】
【請求項１】
メガネのフロントフレーム正面に前掛けフレームを着脱自在に取付けて成る前掛け式メガネフレームにおいて、前掛けフレームの連結部材をナイロンやポリカーボネート等の弾力性に優れた樹脂製コ型断面形状とし、上片と下片とでフロントフレームの連結部材に弾性力を付勢して挟み込んで前掛けフレームを取付けすることを特徴とする前掛け式メガネフレーム。
【請求項２】
フロントフレームの連結部材上下面及び前掛けフレームの連結部材の上片と下片に滑らかな曲面にて形成した凹部及び凸部を設け、凹部に凸部を嵌合することで前掛けフレームを取付けた請求項１記載の前掛け式メガネフレーム。
【考案の詳細な説明】
【０００１】
【考案の属する技術分野】
本考案は、前掛けフレームをメガネのフロントフレームの正面に安定して取付けることが出来る前掛け式メガネフレームに関するものである。
【０００２】
【従来の技術】
従来においても、メガネのフロントフレームに前掛けフレームを取付けたメガネは多用されている。これは周知の通り、近眼の人がサングラスを必要とする場合や、老眼であるにもかかわらず近眼でもあるといったケースは多く、このような場合に近眼用のメガネにサングラスの前掛けフレームを取付けたり、近眼用のメガネに老眼用レンズを入れた前掛けフレームを使用するといった具合である。
【０００３】
ところで、従来型式の前掛けフレームを備えたメガネフレームには幾つかの問題がある。その１つは取付け構造が複雑である為に製作コストが高くなると共に、嵌合状態があまくなってガタ付きを生じ、前掛けフレームが安定しないと言った点である。
【０００４】
図５は従来多用されている前掛け式メガネフレームを示し、（ａ）はメガネフレーム、（ｂ）は上記メガネフレーム（イ）のフロントフレーム（ハ）に取付けられる前掛けフレーム（ロ）を表している。フロントフレーム（ハ）の両側に設けているヨロイ（ニ）、（ニ）には磁石（ホ）、（ホ）が取着され、前掛けフレーム（ロ）の両側に設けているヨロイ（ヘ）、（ヘ）にも同じく磁石（ト）、（ト）を有している。
【０００５】
そこで、上記前掛けフレーム（ロ）はフロントフレーム（ハ）の正面に重ね合わされ、磁石（ホ）に磁石（ト）が引き付けられて取着される。勿論、磁石（ホ）、（ト）を介して取付けられる前掛けフレームが位置ズレしないように何らかの工夫はされている。実用新案登録第３０８１２７１号に係る「めがね」はこの前掛け式メガネフレームに相当する。
【０００６】
又、特許第２９９７４１８号に係る「着脱眼鏡取付装置」はフロントフレームのヨロイ部に受部を設けると共に該受部には磁石を取付け、前掛けフレームを該受部に載せて磁石にて吸着する構造と成っている。このように、従来の構造では前掛け式メガネフレームのフロントフレームは特別な構造と成ってしまい、製作費が高くなってしまう。一方、前掛けフレームは常に必要な訳ではなく、使用しない時には何かのケースに入れて携帯している。その為に、携帯する前掛けフレームが嵩張ることで不便を感じることが多い。
【０００７】
【考案が解決しようとする課題】
このように、従来の前掛け式メガネフレームには上記のごとき問題がある。本考案が解決しようとする課題はこの問題点であり、前掛けフレームが安定して取付けられると共に、簡単な構造にて安く製作出来、一方においてはコンパクトに収まって携帯が便利な前掛け式メガネフレームを提供する。
【０００８】
【課題を解決する為の手段】
本考案に係る前掛け式メガネフレームは、前掛けフレームをメガネのフロントフレームの正面に取付け可能な構造とし、不要な場合には取外し出来るものであり、その基本的な作用は従来と共通する。しかし、前掛けフレームを取付ける手段としては従来例で説明したような磁石は用いられない。
【０００９】
ところで、本考案ではフロントフレームの連結部材（ブリッジ）を挟むことが出来る連結部材を前掛けフレームに設けている。すなわち、フロントフレームの連結部材を前掛けフレームの連結部材によって挟み込むことで該前掛けフレームをフロントフレームの正面に取付けることが出来るように構成している。
【００１０】
ここで、前掛けフレームに備わっている連結部材の具体的な形態は限定しないが、少なくとも両側にコ型断面を成して上片と下片とでフロントフレームの連結部材の両端部を挟持する。その為に、前掛けフレームの連結部材の上下片は弾性を有し、挟持した状態でバネ力が付勢されて安定した取付けを可能としている。
【００１１】
従って、ナイロンやポリカーボネート等の弾力性に優れた樹脂が材質として使用される。一方、取付けた前掛けフレームが外れないように互いに嵌合する凹部と凸部を上下片の内側及びフロントフレームの連結部材の上下面に形成している。以下、本考案に係る実施例を図面に基づいて詳細に説明する。
【００１２】
【実施例】
図１は本考案の前掛けフレームを示している実施例であり、前掛けフレーム１をメガネのフロントフレーム２から外している場合を示している。すなわち、従来例として説明した前記図５に相当するものであるが、本考案では従来のように磁石を用いないで前掛けフレーム１をメガネのフロントフレーム２の正面に取付けることが出来る。
【００１３】
ところで、フロントフレーム２は一般的なメガネと基本形態は同じであり、レンズ４，４を嵌めた両リム３，３は連結部材５によってロウ付けされ、両リム３，３の外側には概略Ｌ型形状としたヨロイ６，６がロウ付け固定されている。そして、このヨロイ６，６には継手７，７を介してツル８，８が折畳み出来るように取付けられている。
【００１４】
ここで、上記両リム３，３を連結している連結部材５はその両端部（リム側）に窪み９，９…を形成し、該窪み９，９…は連結部材５の上面及び下面の４ヶ所に設けられている。窪み９の形状は特に限定するものではないが、前掛けフレームを取付けし易いように滑らかな曲面をもって窪んでいる。
【００１５】
一方、同図に示す前掛けフレーム１は両レンズ１０，１０を連結部材１１によって直接連結した縁無しタイプとなっている。ここで、前掛けフレーム１のレンズ１０は矯正レンズの場合、サングラスの場合の何れであってもよく、上記メガネのフロントフレームの正面に手軽に取付けすることが出来る。上記レンズ１０，１０は連結部材１１の両端に設けている止着片１２，１２によって固定され、該連結部材１１の断面はコ型を成している。そして、コ型断面の連結部材１１はフロントフレーム２の上記連結部材５を挟み込むことで前掛けフレーム１が取付けられる。
【００１６】
図２には前掛けフレーム１の背面斜視図を示しているように、上記止着片１２の背面に２本のピン１３，１３を突出し、このピン１３，１３がレンズ１０に貫通して設けた穴に嵌っている。すなわち、ピン１３，１３をレンズ穴に嵌入すると共にレンズ裏面側へ突出した部分を加熱することでツバを形成し、ピン１３，１３が抜けないように固着している。連結部材１１は樹脂製であって、上片１４及び下片１５を有す断面コ型形状を成し、該上片１４及び下片１５はフロントフレーム２の連結部材５を挟み込むと共に弾性力を付勢することが出来、連結部材５を挟み込んで取付けられる前掛けフレーム１はガタ付くことなく安定する。
【００１７】
図３は前掛けフレームをフロントフレームに取付けた本考案の前掛け式メガネフレームを示している実施例である。前掛けフレーム１はフロントフレーム２とその外形を同じくしている為に、前掛けフレーム１を取付けた場合にはレンズ１０，１０は重なり合う。
【００１８】
図４は図３のＡ−Ａ断面拡大図を表わしている。フロントフレーム２の連結部材５にはその上下面に滑らかな窪み９，９を形成し、この窪み９，９…には前掛けフレーム１の連結部材１１を構成する上片１４及び下片１５に形成した凸部１６，１６…が嵌合している。連結部材１１は上片１４及び下片１５が僅かに挟み変形し、窪み９，９…に凸部１６，１６…が嵌合すると共に適度な弾性力を付勢した状態でフロントフレーム２の連結部材５を挟み込むことが出来る。
【００１９】
上記前掛けフレーム１の連結部材１１は全体がコ型断面形状を成しているが、少なくとも両端部においてのみ上片１４と下片１５を有すコ型断面とすればフロントフレーム２の連結部材５を挟み込んで前掛けフレーム１を取付けることが可能である。そして、前掛けフレーム１は実施例に示したような縁無しタイプに限るものではない。
【００２０】
以上述べたように、本考案に係る前掛け式メガネフレームは前掛けフレームの連結部材をコ型断面形状とし、このコ型断面の連結部材によってフロントフレームの連結部材を挟み込んで取付け可能としたものであり、次のような効果を得ることが出来る。
【００２１】
【考案の効果】
本考案の前掛け式メガネフレームでは、前掛けフレームの連結部材をコ型断面形状としているために、この連結部材によってフロントフレームの連結部材を挟み込んで取付けることが出来る。前掛けフレームのコ型断面連結部材は樹脂製である為に弾性を有し、フロントフレームの連結部材に弾性力を付勢した状態で挟み込むことで前掛けフレームはガタ付くことなく安定して取付けられる。そして、フロントフレームの連結部材及び前掛けフレームの連結部材の上下片には滑らかな曲面によって形成した凹部と凸部を有している。
【００２２】
したがって、フロントフレームに取付けられた前掛けフレームがガタ付いて外れ落ちることは無い。また、凹部に凸部が嵌合することで、取付けられる前掛けフレームは正しく位置決めも行われる。一方、前掛けフレームの連結部材を樹脂製としている為に、適度な弾性を有す共に、フロントフレームの連結部材を挟み込んでもキズを付けることは無い。
【図面の簡単な説明】
【図１】本考案の前掛け式メガネフレームであって、前掛けフレームを分離した場合。
【図２】前掛けフレームの背面斜視図。
【図３】前掛けフレームを取付けた前掛け式メガネフレーム。
【図４】図３のＡ−Ａ断面拡大図。
【図５】従来の前掛け式メガネフレーム。
【符号の説明】
１　前掛けフレーム
２　フロントフレーム
３　リム
４　レンズ
５　連結部材
６　ヨロイ
７　継手
８　ツル
９　窪み
１０　レンズ
１１　連結部材
１２　止着片
１３　ピン
１４　上片
１５　下片
１６　凸部
【図１】
0003099209.tif 000003
【図２】
0003099209.tif 000004
【図３】
0003099209.tif 000005
【図４】
0003099209.tif 000006
【図５】
0003099209.tif 000007